(57)【要約】【課題】塀パネルが風荷重等により弓形に変形した場合であっても、塀パネルの下枠が支柱の受け金具から容易に外れないようになされた塀パネルの取付構造を提供する。【解決手段】塀パネル２の下枠３が、支柱１に設けられた受け金具４を介して支柱１に取付けられる塀パネルの取付構造において、受け金具４は、下枠３が載置される底板部４２から縦板部４３立ち上がり、この縦板部４３の上部が支柱１側に向けて斜め上方に折り曲げられて折曲部４４が形成され、下枠３は、支柱１と折曲部４４との間に上方から挿入可能となされ、且つ下枠３の抜け方向に対して、下枠３の外側の上隅角部３５が折曲部４４の折曲基部４５に係止されるように構成する。【選択図】        図１
2010024694.tif 000002
【特許請求の範囲】
【請求項１】
下端部に沿って下枠が設けられた塀パネルが、支柱の正面側に設けられた受け金具を介して支柱に取付けられる塀パネルの取付構造において、前記受け金具は、支柱の正面側に突出し前記下枠が載置される底板部と、この底板部から上方に立ち上がる縦板部と、該縦板部の上部から支柱側に向けて斜め上方に折り曲げられた折曲部とを備え、該下枠は、前記支柱と前記折曲部との間に上方から挿入可能となされると共に、下枠の抜け方向に対して、下枠の外側の隅角部が前記折曲部の折曲基部に係止されるようになされたことを特徴とする塀パネルの取付構造。
【請求項２】
前記下枠が支柱と縦板部との間に挿入された状態において、折曲部の折曲基部は、下枠の外側の隅角部より上方に位置していることを特徴とする請求項１に記載の塀パネルの取付構造。
【発明の詳細な説明】
【技術分野】
【０００１】
本発明は、住宅や工場等の敷地境界部や隣地境界部に沿って取付けられる塀パネルの取付構造に関するものであり、特に下枠を備えた塀パネルの取付構造に関するものである。
【背景技術】
【０００２】
住宅、工場、公園等の敷地境界部や隣地境界部に沿って取付けられる塀は、一般に設置される境界部等に沿って複数本の支柱が立設され、この支柱間にネットフェンスや縦格子パネルや塀パネル等のパネル体が架設されている。この支柱とパネル体との取付構造においては、主にパネル体と支柱とが同一面内に位置するものとパネル体が支柱の正面側に位置するものとが用いられており、必要となる強度や施工性、意匠性等を考慮して様々な形態が提案されている。
【０００３】
例えば、パネル体が支柱の正面側に位置する塀においては、塀パネルの下端部に設けられた枠材やビーム材を、支柱の下方からＬ字状に突設した受け金具で支持し、押さえ金具等を介してパネル体の上端部の枠材やビーム材を支柱の上方に固定することによって、パネル体を支柱に固定するネットフェンスやフェンスの支持構造が提案されている（例えば、特許文献１、特許文献２参照。）。
【０００４】
これらのネットフェンスやフェンスの支持構造においては、予め支柱の下方に受け金具を設けておけば、フェンスの下端部を受け金具に嵌合させて仮置きした状態でフェンスの上端部を押さえ金具で固定することにより、支柱に対するフェンスの取付作業が容易となるものである。又、押さえ金具をフェンス上端部の枠材の外形に沿った横Ｊ字状に形成することにより、該枠材を強固に保持することができ、併せてフェンスの上下方向に対する位置ずれやがたつきを抑えることができる。
【特許文献１】実開平１−１４３８６１号公報
【特許文献２】実開昭６０−１１５７８１号公報
【発明の開示】
【発明が解決しようとする課題】
【０００５】
しかしながら、前記のネットフェンスやフェンスの支持構造には次のような問題点があった。すなわちフェンス等のパネル体の通風性が見込めない平板状である場合はは、強風によりパネル体が弓形に変形すると、パネル体の下枠等を支える受け金具も外向きに開くように変形して受け金具から下枠が抜け出し、パネル体が支柱から外れる恐れがあった。又、この受け金具を下枠の外形に沿って横Ｊ字状にした場合、下枠が抜け出しにくくなり強度向上が図れるものの、パネル体をこの受け金具に取付ける場合は、支柱に取付けた受け金具の側方から下枠を挿入する必要があり、施工性が大幅に低下する点が問題であった。
【０００６】
本発明は、前記の如き問題点を解消し、塀パネルが風荷重等により弓形に変形した場合であっても、塀パネルの下枠が支柱の受け金具から容易に外れないようになされた塀パネルの取付構造を提供せんとするものである。
【課題を解決するための手段】
【０００７】
上記目的を達成するために、本発明は次のような構成としている。
すなわちこの発明に係る塀パネルの取付構造は、下端部に沿って下枠が設けられた塀パネルが、支柱の正面側に設けられた受け金具を介して支柱に取付けられる塀パネルの取付構造において、前記受け金具は、支柱の正面側に突出し前記下枠が載置される底板部と、この底板部から上方に立ち上がる縦板部と、該縦板部の上部から支柱側に向けて斜め上方に折り曲げられた折曲部とを備え、該下枠は、前記支柱と前記折曲部との間に上方から挿入可能となされると共に、下枠の抜け方向に対して、下枠の外側の隅角部が前記折曲部の折曲基部に係止されるようになされたことを特徴とするものである。
【０００８】
本発明に係る塀パネルの取付構造において、下枠が支柱と縦板部との間に挿入された状態において、折曲部の折曲基部が、下枠の外側隅角部より上方に位置させ構成としてもよい。
【発明の効果】
【０００９】
本発明によれば、受け金具は、支柱の正面側に突出し前記下枠が載置される底板部と、この底板部から上方に立ち上がる縦板部と、該縦板部の上部から支柱側に向けて斜め上方に折り曲げられた折曲部とを備え、該下枠は、前記支柱と前記折曲部との間に上方から挿入可能となされると共に、下枠の抜け方向に対して、下枠の外側の隅角部が前記折曲部の折曲基部に係止されるようになされているので、塀パネルが風荷重により弓形に変形した場合、下枠は支柱と受け金具との間から抜け方向に移動しようとするが、下枠の外側の隅角部が折曲部の折曲基部に係止されるため、下枠の抜けが阻止され、塀パネルが支柱から外れることを防ぐことができる。
【００１０】
本発明に係る塀パネルの取付構造において、下枠が支柱と縦板部との間に挿入された状態において、折曲部の折曲基部が、下枠の外側の隅角部より上方に位置させれば、塀パネルが風荷重等により弓形に変形した場合、下枠の外側の隅角部は、前記高さ位置の寸法差の分に応じて受け金具から抜け方向に移動した後で折曲部の折曲基部に係止されるため、前記移動により風荷重により塀パネルに生じる応力を緩和することができ、下枠から受け金具に係る荷重を抑え、塀パネルが支柱からより外れにくくなる。
【発明を実施するための最良の形態】
【００１１】
次に、本発明を実施するための最良の形態について図面を参照し、具体的に説明する。
【００１２】
すなわち、図１〜５は本発明に係る塀パネルの取付構造における実施の一形態を示すものであり、１は支柱、２は塀パネル、３は塀パネル２の下端部に設けられた下枠、４は支柱１に取付けられ下枠３を受ける受け金具であり、本発明に係る塀パネルの取付構造は、支柱１、塀パネル２、下枠３、及び受け金具４から主に構成されている。
【００１３】
図１は本発明に係る塀パネルの取付構造の正面図、図２は図１のＡ−Ａ断面における縦断面図である。先ず、支柱１は、地表に間隔をおいて複数立設されたものである。支柱１は、一般には断面が矩形状で、アルミニウム合金、ステンレス鋼や鋼材からなる金属管により作成され、その表面にはめっきや塗装等の表面処理が施されている。
【００１４】
塀パネル２は、矩形平板状のパネル本体２１と、このパネル本体２１の下端部に沿って取付けられた下枠３とを備えている。パネル本体２１は、本実施形態においては、平板状の芯材２２の表裏に金属薄板２３、２４が貼着されたものである。芯材２２は、一般には、ポリエチレンやポリプロピレン等のポリオレフィン系熱可塑性合成樹脂から作製されるものであり、ポリエチレン、ポリプロピレン単独のもの、或いはこれらを適宜混練されたものを用いてもよく、発泡させた形態でもよく、これらに水酸化アルミニウム、水酸化マグネシウム等の無機材料を適宜混練したものを用いてもよい。
【００１５】
金属板２３，２４は、一般にはアルミニウム合金、ステンレス鋼、銅等の金属箔からなり、その前面には、装飾性を高めるために塗装が施されてもよく、装飾用のシートやフィルムを貼着されてもよいが、そのまま用いてもよい。
【００１６】
パネル本体２１は、本実施形態では、芯材２２及び金属板２３，２４からなる積層体であるが、金属板は芯材２２の一方のみに貼着されたものでもよく、或いは芯材２２、或いは金属板２３を単独で用いる形態でもよく、透光性を付与するためにポリカーボネートやアクリル樹脂等からなる透光材料からなる形態でもよい。
【００１７】
塀パネル２は、本実施形態では、塀パネル２の上端部に沿って上枠５が取付けられている。上枠５は、パネル２の上端部に沿って略矩形の中空部５１が設けられると共に、中空部５１の下面に挿入溝５２が形成され、塀パネル２の上端部が挿入されている。又、中空部５１の支柱１側の側面には、支柱１と接続するための接続金具５３が水平方向に摺動可能となされたガイド部５４が設けられ、ガイド部５４の支柱１側の側板部には長手方向に沿って隙間５５が形成され側板部が上下に分けられている。そして、支柱１を貫通する取付ボルトＢの螺子先端が隙間５５を経て接続金具５３に螺着されることにより、接続金具５３を介して上枠５が支柱１に固定される。
【００１８】
又、塀パネル２は、本実施形態では、塀パネル２の両側端部に縦枠５６が設けられ、パネル本体２１の外周部に沿って設けられた下枠３、上枠５及び縦枠５６により、塀パネル２の外周部を覆って装飾性を高めると共に、塀パネル２の剛性を高めることができる。
【００１９】
図３は、図２の主要部の拡大図であり、支柱１に対する塀パネル２の下部の取付構造を示すものである。下枠３は、パネル本体２１の下端部に沿って取付けられたものであり、水平方向に沿って設けられた中空部３１と、中空部３１の上面に設けられパネル本体２１の下端部が挿入される挿入溝３２と、中空部３１の支柱１側の側面に設けられ、支柱１と中空部３１との間隔を保持するための当たり部３３とを備えている。そして、挿入溝３２及び当たり部３３は、中空部３１の長手方向に向けて延設されている。
【００２０】
下枠３は、一般にはアルミニウム合金や合成樹脂等を押出成型して得られる長尺体を適宜長さに切断した部材からなるものであるが、アルミニウム以外の金属、または金属や無機材料と合成樹脂との複合材料、例えば合成樹脂に金属フィルムをラミネートしたもの、表面に着色がなされたもの、装飾性を向上させるために表面に凹凸が形成されたもの等、必要な強度に応じて、適宜使用できる。
【００２１】
受け金具４は、図１〜３に示すように、支柱１の正面に設けられて、塀パネル２の下枠３を受けるものである。図４は、受け金具４の説明図であり、（ａ）は平面図、（ｂ）は正面図、（ｃ）は右側面図である。受け金具４は、支柱１に固定される固定部４１と、固定部４１から正面側に向けて突設され下枠３が載置される底板部４２と、底板部４２の先端部から立ち上がる縦板部４３と、縦板部４３の上部が支柱１側に向け斜め上方に折り曲げられた折曲部４４からなる断面略Ｊ字状に形成されたものである。固定部４１は、支柱１を貫通する固定ボルトＢ２の螺子先端により螺着され支柱１の正面側に固定されている。
【００２２】
受け金具４は、一般には鋼材等をプレス成形して得られる部材からなるものであるが、鋼材以外の金属、例えば、ステンレス鋼やアルミニウム合金等の他の金属を加工したものでもよく、又、１の金属部材から成型されてもよく、複数の金属部材から形成されるものでもよく、耐候性や耐食性を向上させるためにめっきや塗装を施したものを用いてもよい。
【００２３】
図５は、受け金具４に対する下枠３の固定方法の説明図であり、（ａ）は下枠３を支柱１と受け金具４の縦板部４３との間に挿入する状態、（ｂ）は下枠３が受け金具４の底板部４２の上に載置された状態、（ｃ）は下枠３が支柱１と受け金具４との間で固定された状態を示すものである。（ａ）において、支柱１と受け金具４の折曲部４４の上端との離間寸法は、下枠３の前後寸法と同程度となされているので、下枠３は支柱１と縦板部４３との間に挿入することができる。尚、本実施形態のように、下枠３の中空部３１において、外側の下隅角部３４の角を取って円弧状の曲面を形成しておけば、下枠３の挿入時に、支柱１と折曲部４４の上端との離間寸法が下枠３の前後寸法よりやや狭い場合、円弧状の下隅角部３４が折曲部４４の先端４５に接触しても、この先端４５が円弧状部上を滑って折曲部４４が外側に向けて反る方向に弾性的に変形することができるため、折曲部４４に抗して下枠３を支柱１と縦板部４３との間に挿入することができる。
【００２４】
又、下枠３から支柱１側に向けて突出する当たり部３３の突出寸法は、受け板部４を支柱１に固定する固定ボルトＢ２において支柱１の外周面から縦板部４２に向けて突出した螺子先端部の突出寸法よりも大きくなっている。これにより、下枠３の下部が固定ボルトＢ２の螺子先端部に接触することなく、下枠３を底板部４２の上に載置することができる。
【００２５】
更に、図５の（ｂ）において、固定ボルトＢ２を更に螺入させると、螺子先端が下枠の中空部３１を縦板部４３側に押圧して、（ｃ）に示すように、枠体３の外側部が縦板部４３の内側面に押し付けられて、下枠３を確実に固定することができる。そして、底板部４２の外側面から縦板部４３の外側面にかけては、厚肉部４６が形成されており、前記下枠３の外側面が縦板部４３の内側面に押し付けられた時に、縦板部４３が外側に向けて発生する反りを抑えることができる。
【００２６】
図６は、台風等の暴風や突風により背面側から正面側に向けて塀パネル２に風荷重がかかり、パネル本体２１が正面側に向けて撓みが生じた状態を示す説明図であり、パネル本体２１に風荷重がかかった状態を示す縦断面図である。パネル本体２１が正面側に弓形になる場合、下枠３は、前記弓形のパネル本体２１により正面側に傾斜した形態となって、受け金具４の縦板部４３を正面側に押圧すると共に、支柱１と受け金具４との間から斜め上方に引き抜かれる方向に移動する。この時、下枠３の外側上方の上隅角部３５は、縦板部４３の上部から折曲部４４が形成される折曲基部４５の内側に引っ掛かり、この状態で下枠３が更に抜け方向に移動しようとしても、上隅角部３５は折曲基部４５から相対的に押圧を受けるため、これ以上の抜け方向の移動が抑えられ、これにより、上隅角部３５は折曲基部４５に係止され、下枠３はこれ以上の引き抜きが阻止される。上隅角部３５及び折曲基部４５は、角部が角張った形態でもよいが、本形態のように、角を取って丸みを帯び、これら曲面と曲面とが合わさって係止する形態でもよい。要は、上隅角部３５が折曲基部４５に係止されやすい形態であればよい。
【００２７】
枠材３の外側壁は、上部が内部に向けて窪んだ凹み部３６が形成され、凹み部３６の外側の端部が前記上隅角部３５となされている。これにより、下枠３の上部が凹み部３６が形成されていない略矩形状に形成された場合に比べると、上隅角部３５の剛性を高めることができると共に、図１に示すように、上枠３の上端と折曲部４４の上端との高さ位置を合わせることができるので、下枠３の上端から折曲部４４が突出することをなるべく抑え、意匠性を高めることができる。
【００２８】
折曲部４４の折曲基部４５は、図３に示すように、下枠３が支柱と縦板部との間に挿入された状態において、下枠３の外側の上隅角部３５より上方に位置している。これにより、下枠３の外側壁は上下方向に亘って受け金具４の縦板部４３の内側面に押し付けられたられた状態で強固に固定することができる。又、通常の設置状態では、上隅角部３５は折曲基部４５に係止されていないので、通常の設置状態で上隅角部３５が折曲基部４５に係止されている場合に比べて、通常塀パネル２が受ける風荷重により撓みが生じても折曲基部４５には上隅角部３５から負荷を受けることは少なく、折曲部４４が起き上がる方向に変形するような不具合は起こりにくくなる。更に、図５に示すように、塀パネル２のパネル本体２１が正面側に向けて比較的大きな撓みが生じた場合は、下枠３が抜けの方向に移動する際に、上隅角部３５が折曲基部４５に係止されるまで移動することができるので、この下枠３の前記移動により塀パネル２に生じる応力を緩和することができ、上隅角部３５が折曲基部４５に係止された際に、折曲基部４５に掛かる応力を低減させることができる。
【産業上の利用可能性】
【００２９】
本発明によれば、塀パネルが風荷重等により弓形に変形した場合であっても、塀パネルの下枠が支柱の受け金具から容易に外れないので、新規に塀パネルを取付ける場合だけではなく、既に設置された塀パネルに対する補強の場合や、既に設置された塀パネルを新しい塀パネルと交換する場合であっても、取付金具の取付作業及びその後の塀パネルの取付作業が容易であり、且つ塀パネルの取付構造をより強固なものとすることができるので、好適に利用できる。
【図面の簡単な説明】
【００３０】
【図１】本発明に係る塀パネルの取付構造において実施の一形態を示す正面図である。
【図２】図１のＡ−Ａ断面における縦断面図である。
【図３】図２の主要部の拡大図である。
【図４】受け金具の実施の一形態を示す説明図である。
【図５】図３の部分分解説明図である。
【図６】図３の説明図である。
【符号の説明】
【００３１】
１    支柱
２    塀パネル
３    下枠
３４  下隅角部
３５  上隅角部
３６  凹み部
４    受け金具
４２  底板部
４３  縦板部
４４  折曲部
４５  折曲基部
Ｂ２  固定ボルト
【図１】
2010024694.tif 000003
【図２】
2010024694.tif 000004
【図３】
2010024694.tif 000005
【図４】
2010024694.tif 000006
【図５】
2010024694.tif 000007
【図６】
2010024694.tif 000008